(57)【要約】【課題】  複数のペンの出力強度を整合させる方法及び装置を提供する。【解決手段】  第１のペンについて出力強度対に対する第１の複数の出力値を有する第１の線形化データ構造を生成するステップ（ステップ１０２）と、前記第１のペンの前記第１の線形化データ構造に少なくとも部分的に基づいて、第２のペンについて出力強度対に対する第２の複数の出力値を有する第２の線形化データ構造を生成して（ステップ１０４）、前記第２のペンの出力強度を前記第１のペンの出力強度に整合させるステップとを含む。【選択図】        図１
2005041222.tif 000002
【特許請求の範囲】
【請求項１】
（ａ）  第１のペンについて出力強度対に対する第１の複数の出力値を有する第１の線形化データ構造を生成するステップと、
（ｂ）  前記第１のペンの前記第１の線形化データ構造に少なくとも部分的に基づいて、第２のペンについて出力強度対に対する第２の複数の出力値を有する第２の線形化データ構造を生成して、前記第２のペンの出力強度を前記第１のペンの出力強度に整合させるステップと、
を含むことを特徴とする方法。
【請求項２】
前記第２の線形化データ構造を生成することは、色空間モデルの第１のモデル値を有する前記第１のペンの第１の出力強度に関して、前記色空間モデル第２のモデル値を有する第２の出力強度を生成する前記第２のペンの出力値を決定することを含み、前記第２のモデル値は前記第１のモデル値に実質的に近いことを特徴とする請求項１に記載の方法。
【請求項３】
前記第１のペンは、前記第１のペン及び第２のペンのうちの弱いほうのペンであり、まず、前記第１のペン及び第２のペンのうちの何れが前記弱いほうのペンであるかを決定することをさらに含むことを特徴とする請求項１に記載の方法。
【請求項４】
前記イメージングシステムの第３のペンの出力強度の線形化に使用される、出力強度対に対する第３の複数の出力値を有する第３の線形化データ構造を生成するステップと、
前記第３のペンの前記第３の線形化データ構造に少なくとも部分的に基づいて、出力強度対に対する第４の複数の出力値を有する第４の線形化データ構造を生成するステップであって、前記イメージングシステムの第４のペンの出力強度を線形化させること、及び前記第４のペンの前記出力強度を前記第３のペンの前記出力強度に整合させること、に使用される、第４の線形化データ構造を生成するステップと、
をさらに含み、
前記第１のペン及び第４のペンと、前記第２のペン及び第３のペンとは、第１及び第２のペンセットそれぞれの異なるカラーメンバに対応することを特徴とする請求項１記載の方法。
【請求項５】
（ａ）  第１のペンの第１の線形化データ構造の出力強度対に対する第１の出力値であって、第１の出力強度を生成する前記第１のペンの第１の出力値を識別する前記出力強度対に対する第１の出力値を選択すること、
前記第１の出力強度に関して、第１の複数の色空間モデル値を生成すること、
前記第１の複数の色空間モデル値に実質的に近い第２の複数の色空間モデル値を有する第２の出力強度を生成する第２のペンの第２の出力値を決定すること、
前記決定された第２の出力値及び前記対応する第２の出力強度を使用して、前記第２のペンの第２の線形化データ構造の出力強度対に対する第２の出力値を形成すること、
を装置が行えるように設計された複数の命令を記憶している記憶媒体と、
（ｂ）  前記記憶媒体に接続されて前記命令を実行するプロセッサと、
を備えることを特徴とする装置。
【請求項６】
前記命令は、前記決定することの一環として、前記第２の色空間モデル値を生成すること、及び、前記第２の出力値に関して、その第２の色空間モデル値と前記第１の色空間モデル値の間の差の絶対値和を算出することを前記装置が行えるようにするよう設計されることを特徴とする請求項５に記載の装置。
【請求項７】
（ａ）  第１の着色剤を様々な強度で選択的に出力する第１のペンと、
（ｂ）  出力強度対に対する第１の複数の出力値を有し、前記第１の着色剤を様々な強度で出力するために備えられた第２のペンの第２の線形化データ構造を鑑みて形成され、前記第１のペンによって出力される前記第１の着色剤の強度を線形化すること、及び、前記第１のペンによって出力された前記第１の着色剤の前記強度を前記第２のペンによって出力される前記第１の着色剤の前記強度に整合させることに使用される第１の線形化データ構造と、
を備えることを特徴とする装置。
【請求項８】
前記第２のペンと、前記第２の線形化データ構造とをさらに備えることを特徴とする請求項７に記載の装置。
【請求項９】
第２の着色剤を様々な強度で選択的に出力する第３のペンと、
出力強度対に対する第２の複数の出力値を有し、別のペンの別の線形化データ構造を鑑みずに基準を鑑みて形成される第３の線形化データ構造と、
をさらに備え、
前記第１及び第３のペンは、マルチカラーペンセットのメンバであることを特徴とする請求項７に記載の装置。
【発明の詳細な説明】
【技術分野】
【０００１】
本発明は、複数のペンの出力強度（output intensity）を整合させる方法及び装置に関する。
【背景技術】
【０００２】
イメージングシステムは、コンピュータ及び他のタイプのコンピュータ化された装置に対して非常に人気のある周辺機器となった。イメージングシステムにより、ユーザは、画像を媒体上にプリントすることができるため、このようなイメージングシステムは、プリンタと呼ぶこともできる。最も一般的な媒体は、用紙である。
【０００３】
最も一般的なインクジェットプリンタ及びレーザプリンタを含め、多くの様々なタイプのイメージングシステムがある。インクジェットプリンタは、一般に、微細なインク滴を媒体上に噴射するように動作し、レーザプリンタは、一般に、トナーを媒体上に溶着させるように動作する。何れのタイプのイメージングシステムも白黒のみのプリンタである場合もあれば、カラープリンタである場合もある。
【０００４】
製造環境及び動作環境の相違により、イメージングシステムは、通常、パフォーマンス（性能）の最適化に向けて較正する必要がある。多くの場合、一次元線形化ルックアップテーブル（ＬＵＴ）が各カラーチャネル毎の較正中に生成され、動作中に、対応するペンの出力強度（ルックアップテーブルなどを介してカラーチャネルの変更や調整を行う際の入力値が「入力強度」であり、出力値が「出力強度」である）の線形化に使用される。例えば、シアン−マゼンタ−イエロー−ブラック（ＣＭＹＫ）色空間を採用したカラーイメージングシステムの場合には、線形化ＬＵＴが、シアン，マゼンタ，イエロー，及びブラックの各カラーチャネルの較正中に生成され、動作中に、シアン，マゼンタ，イエロー，及びブラックの各カラーペンの出力強度の線形化に使用される。
【０００５】
通常、各線形化ＬＵＴは、目標出力範囲に基づき、かつ、基準を鑑みて、すなわち、ペンの出力強度が基準により求められる範囲にわたって線形であるように、対応するペンに必要な対応する調整量を決定することにより生成される。
【発明の開示】
【発明が解決しようとする課題】
【０００６】
技法に関わりなく、較正は、較正が行われる環境条件により影響を受けるとともに、測定誤差の影響を受けるため、それ自体不完全なものである。従って、同色の２つのペンを、同じ目標出力を使用して、かつ同じ基準を鑑みて較正した場合であっても、特に較正が異なる環境条件下で異なる時間に行われた場合に、僅かに異なる可能性がある。
【０００７】
さらに重要なことには、同じカラーチャネルのこれら２つのペンが、媒体完成品のイメージング／プリントの提供に関与する場合には、僅かな相違でも、イメージング／プリントされた媒体完成品の消費者が気付くには十分であり、消費者がイメージングシステム（複数可）のイメージング／プリント品質を「不良」と評価することにつながる可能性がある。
【０００８】
２つの「僅かに異なる」ペンは、様々な状況（scenarios）下での媒体完成品のイメージング／プリントの提供に関与する場合がある。例えば、あるカラーチャネルの２つのペンのうちの一方をそれぞれ有する２つのイメージングシステムが、媒体完成品のイメージング／プリントに関与する場合がある。別の例として、あるカラーチャネルの２つのペンが、２つのイメージングエンジンを有するイメージングシステムの２つのマルチカラーペンセットのメンバとして、媒体完成品のイメージング／プリントに関与する場合がある。さらに別の例として、２つのイメージング方向において使用され、異なるイメージング方向で異なる線形化ＬＵＴを有する、双方向イメージングシステムのあるカラーチャネルの１つのペンが、媒体完成品のイメージング／プリントに関与する場合がある。
【課題を解決するための手段】
【０００９】
本発明の方法は、第１のペンについて出力強度対（output intensity pair）（整合されるべき２つの出力強度）に対する第１の複数の出力値を有する第１の線形化データ構造を生成するステップと、前記第１のペンの前記第１の線形化データ構造に少なくとも部分的に基づいて、第２のペンについて出力強度対に対する第２の複数の出力値を有する第２の線形化データ構造を生成して、前記第２のペンの出力強度を前記第１のペンの出力強度に整合させるステップとを含む。
【発明を実施するための最良の形態】
【００１０】
本発明の実施形態について、同様の符号が同様の要素を示している添付図面を参照しながら説明することにする。
【００１１】
本発明の実施形態は、イメージングシステム（複数可）のペンについて線形化データ構造を生成する方法、この方法の全て又は一部の実施に貢献する記憶媒体，コンピューティング装置，及び／又はイメージングシステム、並びにペンに貢献するイメージングエンジン及び／又はシステム、及びそれに従って生成される関連の線形化データ構造を含むがこれらに限定されない。
【００１２】
以下の説明において、本発明の実施形態の各種態様について述べることにする。しかし、当業者は、本発明の実施形態が、説明した態様のいくつかのみ、又は全てを使用して実施することができることを理解するであろう。説明を目的として、本発明のこれら実施形態の完全な理解を提供するために、特定の数，材料，及び構成を記載する。しかし、当業者は、本発明の各種実施形態は特定の詳細なしで実施することができることを理解するであろう。一方で、開示する本発明の実施形態を曖昧にしないように、既知の特徴については省略し、又は簡略化する。
【００１３】
各種動作について、本発明のこれら実施形態の理解を助けるように複数の離散した動作として説明するが、説明の順序により、これらの動作が必ずしも順序によることを示唆していると解釈すべきではない。特に、これらの動作を提示順序で実行する必要はない。
【００１４】
「一実施形態では」という語句が繰り返し用いられる。この語句は、一般に、同じ実施形態を指すものではないが、同じ実施形態を指すこともできる。「備える」，「有する」，及び「含む」という語は、文脈により別段の定めがある場合を除き同義である。
【００１５】
これより図１を参照して、イメージングシステムのペンについて線形化データ構造を作成する、本発明の一実施形態による方法の概要を示す。図１に示すように、本実施形態の場合には、まず、ブロック１０２において、動作中に、あるカラーチャネルの２つのペンのうちの第１のペンの出力強度の線形化の使用に適した、出力強度対に対する着色剤出力値を有する線形化データ構造が、基準を鑑みて較正中に生成される。
【００１６】
以下、出力強度対に対する着色剤出力値を、単に、出力強度対に対する出力値と呼ぶこともある。本願では、この２つの語句は、これとは相違することが明確に示される場合を除き同義であると考えてよい。
【００１７】
線形化データ構造の図的表現を図３に示す。図３に示す非線形グラフ３０４は、出力色強度を生成するカラーチャネルのペンを駆動する着色剤出力値を示す。通常、線形化が未だ行われていないペンは、線形曲線３０２ではなく、非線形グラフ３０４等の非線形曲線を生成する。線形グラフ３０２に示す線形出力強度を生み出すように、着色剤出力値が変更される。これは線形化ルックアップテーブルを使用して実現することができる。結果として線形グラフ３０２になるように、線形化ルックアップテーブルの使用を通して変更された色出力値が、非線形グラフ３０４の形成に使用された色出力値に取って代わる。具体的には、表現例として、線形強度の下側の５０％の駆動にはオーバードライブ出力値が使用されているが、それにもかかわらず線形強度の上側の５０％の駆動にはアンダードライブ出力値で足りている。
【００１８】
例えば、５０％に近いオーバードライブ出力値３０６が約２５％の出力強度の生成に使用され、５０％に近いアンダードライブ値３０８が１００％に近い出力強度の生成に足りている。
【００１９】
線形化データ構造は、目標出力の使用を伴う技法を含むがこれに限定されない多くの様式の何れか１つで生成することができる。
【００２０】
出力強度対の複数の出力値を有する、生成された線形化データ構造は、ルックアップテーブルの形のデータ編成を含むがこれに限定されない多くのデータ編成の何れか１つでコンピューティング装置及び／又はイメージングシステムに格納することができる。
【００２１】
再び図１を参照すると、代替の実施形態では、基準を鑑みて生成された線形化データ構造を有するカラーチャネルの２つのペンのうちの第１のペンは、２つのペンのうちの弱い方（weaker）のペンである。
【００２２】
従って、各種実施形態では、方法は、カラーチャネルの２つのペンの何れが弱いペンかを決定する動作（図示せず）を含むこともできる。
【００２３】
各種実施形態では、カラーチャネルの２つのペンの何れが弱いペンかを決定することは、それぞれの出力ランプ（output ramp)を比較することにより行うことができ、その一例を図４に示す。出力ランプ４０２，４０４の例に関して、各ペンがそれぞれの最小明度を実現する着色剤出力レベルを示している。
【００２４】
各種実施形態では、２つのペンのうち、１００％着色剤出力値での最小明度がより高い関連出力ランプを有するペンが弱いペンとみなされる（本例では、ペンＡ）。図４における比較は明度の単位（ユニット）で行っているが、他の実施形態では、比較を、濃度又は彩度（色度）等の別の単位で実行してもよい。濃度値が使用される場合には、弱いペンは、１００％着色剤出力値における濃度値が低いほうのペンとして決定される。彩度の単位が使用される場合には、弱いペンは、１００％着色剤出力値における彩度が低いほうのペンとして決定される。
【００２５】
再び図１を参照すると、代替の実施形態では、基準を鑑みて生成された線形化データ構造を有するカラーチャネルの２つのペンのうちの第１のペンは、２つのペンの中から任意に選択することができる。通常、これらの実施形態では、共通最大飽和レベル等の共通飽和制御レベルが、２つのペンの最大飽和レベルの低いほうに等しいか、それよりも低いレベルにセットされる。
【００２６】
引き続き図１を参照すると、次のブロック１０４において、動作中に、カラーチャネルの２つのペンのうちの第２のペンの出力強度の線形化への使用に適した、出力強度対に対する装置出力値を有する線形化データ構造が第１のペンを鑑みて生成される。
【００２７】
結果として、第２のペンの出力強度は、線形化されるのみならず、同時に第１のペンに整合している。換言すれば、２つのペンの出力強度は線形化されるのみならず、調整して線形化され、カラーチャネルの２つのペンの出力強度を互いに実質的に近づけることができ、従って品質「不良」という認識につながるそれぞれの出力間の知覚できる相違が発生する可能性を低減する。
【００２８】
第１のペンを鑑みて、第２のペンの線形化データ構造を生成する各種実施形態について、より詳細に以下述べることにする。
【００２９】
図２ａ〜図２ｃは、本発明の実施形態の実施に適したイメージングシステムの各種実施形態を示している。図２ａの実施形態の場合、イメージングシステムＡ２０２及びイメージングシステムＢ２１２が、カラーチャネルのペン２０４，２１４をそれぞれ備えている。ペン２０４，２１４は、関連する線形化データ構造２０６，２１６をそれぞれ有している。本実施形態の場合、線形化データ構造２０６，２１６は、ルックアップテーブル（ＬＵＴ）の形であることができる。さらに、線形化データ構造２０６，２１６は、先に述べたように、図１の方法と同様の方法に従って生成することもできる。
【００３０】
図２ｂの実施形態の場合、イメージングシステム２２２が、カラーチャネルのペン２２４，２３４を備えている。ペン２２４，２３４は、関連する線形化データ構造２２６，２３６をそれぞれ有している。本実施形態の場合、線形化データ構造２２６，２３６は、ルックアップテーブル（ＬＵＴ）の形であることができる。さらに、線形化データ構造２２６，２３６は、先に述べたように、図１の方法と同様の方法に従って生成することもできる。
【００３１】
同様に、図２ｃの実施形態の場合、イメージングシステム２４２が、カラーチャネルの、第１のイメージング方向に使用されるペン２４４及び第２のイメージング方向に使用されるペン２５４を備えている。イメージング方向に使用されるペン２４４，２５４は、関連する線形化データ構造２４６，２５６をそれぞれ有している。本実施形態の場合、線形化データ構造２４６，２５６は、ルックアップテーブル（ＬＵＴ）の形であることができる。さらに、線形化データ構造２４６及び２５６は、先に述べたように、図１の方法と同様の方法に従って生成することもできる。
【００３２】
結果として、カラーチャネルの、対応するペンの出力強度が線形化されるのみならず、互いに実質的に整合するため、これら実施形態それぞれの下でイメージング／プリントされる媒体完成品の品質を改良することができる。
【００３３】
上記を鑑みて、本願において用いられる「ペン」という語は、特許請求の範囲を含め、「物理的な」ペン、並びにペンの異なる「方向的使用」を含むが、これらに限定されないことに留意されたい。
【００３４】
さらに、理解し易くするため、１つのカラーチャネルの２つのみのペンが図示の各実施形態に示されるが、図１の方法はそのように限定されない。この方法は、複数のカラーペンの２つのセットを採用したコンピューティング装置及びカラーイメージングシステム、並びに２つのペンを採用した白黒イメージングシステムで実施することができる。
【００３５】
さらに、複数のカラーペンの２つのセット、例えば、｛Ｃ１，Ｍ１，Ｙ１，Ｋ１｝及び｛Ｃ２，Ｍ２，Ｙ２，Ｋ２｝が採用される実施形態では、Ｃ１、Ｍ２、Ｙ１、及びＫ２が各カラーチャネルの弱いペンであってもよく、又は任意に選択されてもよく、それに従って、基準を鑑みてそれぞれの線形化データ構造を生成し、Ｃ１、Ｍ２、Ｙ１、及びＫ２それぞれを鑑みてＣ２、Ｍ１、Ｙ２、及びＫ１の線形化データ構造を生成することができる。
【００３６】
換言すれば、いくつかの実施形態の特徴は、基準を鑑みて｛Ｃ１，Ｍ１，Ｙ１，Ｋ１｝の線形化データ構造、及び｛Ｃ１，Ｍ１，Ｙ１，Ｋ１｝を鑑みて生成された｛Ｃ２，Ｍ２，Ｙ２，Ｋ２｝の線形化データ構造を生成するのにより適し得るが、図１の方法は、セット中の全てペンが基準を鑑みて又は別のセットに対してセットとして較正されるという制限を課さない。その代わりに、各カラーチャネルの各ペンは、基準又は同じカラーチャネルの対応するペンを鑑みて、ペンがメンバであるペンセット中の他のペンから独立して、較正される。
【００３７】
図５は、一実施形態による、ペンの線形化データ構造を、別のペンを鑑みて生成する方法を示している。図示のように、本実施形態では、この方法は、まず、ブロック５０２において、「ノード」、すなわち、基準を鑑みて生成されるペンの線形化データ構造の出力強度対に対する出力値を選択する。
【００３８】
次に、方法は、ブロック５０４において、選択された「ノード」の出力強度の色空間モデル値を決定する。各種実施形態では、色空間モデルはＣＩＥ  Ｌ*ａ*ｂ*色空間モデルであってよく、色空間モデル値はＬ*値、ａ*値、及びｂ*値である。代替の実施形態では、他の色空間モデルを代わりに採用してもよい。
【００３９】
次に、方法は、ブロック５０６において、選択された「ノード」の出力強度の色空間モデル値に近い色空間モデル値を有する出力強度を生成する、第２のペンの出力値を選択する。選択動作の一実施形態についてさらに述べることにする。
【００４０】
出力値の選択にあたり、この方法は、ブロック５０８において、「ノード」に関して、第２のペンの出力値の選択を支援するために、解析すべき「ノード」がまだ残っているか否かを決定する。残っている場合には、動作はブロック５０２に戻る。その他の場合には、プロセスは完了して終了する。
【００４１】
図６は、一実施形態による、第１のペンの対応する出力強度に近い出力強度を生成する、第２のペンの出力値を決定する方法を示している。図６に示すように、まず、ブロック６０２において、複数の出力値候補が選択される。
【００４２】
考慮すべき出力値候補は、カラーモデル値が第１のペンの現在選択されている「ノード」のカラーモデル値の「近傍」内にある出力値を含むがこれに限定されない、いくつかの所定の様式の１つの形であることができる。「近傍」のサイズ及び形状は実施によって決まり、おそらく２つのペンの間の所望の整合の実在性に応じて（限定ではない）実施形態毎に可変であることができる。
【００４３】
次に、ブロック６０４において、方法は、選択された出力値候補の色空間モデル値を算出する。次に、ブロック６０６において、方法は、選択された出力値候補の色空間モデル値と、選択された「ノード」の出力強度の色空間モデル値との間の絶対差の合計を算出する。
【００４４】
各種実施形態では、色空間はＣＩＥ  Ｌ*ａ*ｂ*色空間モデルであり、各差の絶対値和の算出は下記の式に従って行われる。
ΔＥ*＝（ΔＬ*2＋Δａ*2＋Δｂ*2）0.5
式中、ΔＥは色空間モデル値の絶対差の合計であり、
ΔＬ*2は、２つの色空間モデル値セットの明度値間の差の合計を二乗したものであり、
Δａ*2及びΔｂ*2は、２つの色空間モデル値セットの彩度値間の差の合計を二乗したものである。
次に、本実施形態では、ブロック６０８において、方法は、先に述べた、対応する色空間モデル値間の絶対差の合計に示すように、第１のペンの選択「ノード」の色空間モデル値に最も近い色空間モデル値を有する出力値候補を選択することにより、第１のペンの対応する出力強度に近い出力強度を生成する、第２のペンの出力値を決定する。より具体的には、本実施形態では、方法は、色空間モデル値における絶対差の最小の合計を有する出力値候補（色空間モデル値の差の絶対値和が最も小さい出力値候補）を選択する。
【００４５】
図７は、一実施形態による、図１，図５，及び／又は図６の方法のいくつか又は全ての態様の実施への使用に適したコンピューティング装置を示している。図７に示すように、本実施形態では、コンピューティング装置７００は、バス７１０を介して互いに接続されたプロセッサ７０２，メモリ（記憶媒体）７０４，大容量記憶装置７０６，及びＩ／Ｏ装置７０８を備えている。Ｉ／Ｏ装置７０８は、キーボード，カーソル制御装置，ディスプレイ，通信インタフェース等を含むことができる。
【００４６】
メモリ７０４及び大容量記憶装置７０６は、命令及び／又はデータ、より具体的には、図１，図５，及び図６にそれぞれ示す方法を実施する線形化ロジック（命令）７１２の一時的又は永久的なコピーの格納に採用することができる。
【００４７】
換言すれば、本実施形態では、コンピューティング装置７００は、例えば、イメージングシステムの製造業者により、又はイメージングシステムのユーザにより採用されて、動作中に、イメージングシステムのカラーチャネルのペンの出力強度を線形化し、ペンの出力強度を同じ又は別のイメージングシステムのカラーチャネルの別のペンに整合させるのに使用される、テーブル等の線形化データ構造を較正し生成することができる。
【００４８】
特に、コンピューティング装置７００は、出力値候補の各種色空間モデル値と他方のペンの各種出力強度の色空間モデル値との間の近似解析に少なくとも部分的に基づいて、ペンの出力値を決定することにより、ペンの線形化データ構造を生成するために採用することができる。
【００４９】
コンピューティング装置７００は、複数のイメージングシステムの複数のカラーチャネルの複数のペンに採用することもできる。
【００５０】
代替の実施形態では、先に触れたように、線形化ロジック７１２が単に図１，図５，及び図６の方法のいくつかの態様のみを実施してもよい。
【００５１】
他の点では、プロセッサ７０２，メモリ７０４，大容量記憶装置７０６，Ｉ／Ｏ装置７０８，及びバス７１０は、広い範囲のこのような要素を表す。
【００５２】
各種実施形態では、コンピューティング装置は、サーバ，デスクトップコンピュータ，コンピューティングタブレット，ラップトップコンピュータ，手のひらサイズの個人情報端末，ポケットＰＣ，又は他のコンピューティング装置等であることができる。
【００５３】
図８は、一実施形態による、図１，図５，及び／又は図６の方法のいくつか又は全ての実施への使用に適したイメージング装置を示している。図８に示すように、本実施形態では、イメージングシステム８００は、バス８１０を介して互いに接続されたプロセッサ／コントローラ８０２，メモリ（記憶媒体）８０４，イメージングエンジン８０６，及び通信インタフェース８０８を備えている。イメージングエンジン８０６は、動作中に、ペン（複数可）８１２の出力強度を線形化し、対応するカラーチャネル（複数可）のペン（複数可）に出力強度を整合させる、対応する線形化データ構造（複数可）を有するペン（複数可）８１２を備えている。
【００５４】
メモリ８０４は、命令及び／又はデータ、より具体的には、イメージング制御ロジック８２６、線形化ＬＵＴ（複数可）８２４、及び線形化ロジック（命令）８２２の格納に採用される。イメージング制御ロジック８２６は、画像を媒体上にプリントするようにペン８１２を制御するために採用される。線形化ＬＵＴ（複数可）８２４は先に述べたように生成し採用される。線形化ロジック８２２は、図１，図５，及び図６の方法を実施する。
【００５５】
換言すれば、媒体上にイメージングするのに使用されることに加え、イメージング装置８００は、例えば、イメージングシステムの製造業者により、又はイメージシステムのユーザにより採用されて、動作中に、ペン（複数可）８１２の出力強度を線形化し、ペンの出力強度を対応するカラーチャネル（複数可）の別のペン（複数可）に整合させるのに使用される、テーブル（複数可）等の線形化データ構造（複数可）を較正し生成することができる。
【００５６】
特に、イメージング装置８００は、ペン（複数可）の出力値候補の各種色空間モデル値と他方のペン（複数可）の各種出力強度の色空間モデル値との間の近接解析に少なくとも部分的に基づいて、ペン（複数可）の出力値を決定することにより、ペン（複数可）の線形化データ構造（複数可）を生成するために採用することができる。
【００５７】
代替の実施形態では、先に触れたように、線形化ロジック８２２が単に図１，図５，及び図６の方法のいくつかの態様のみを実施してもよい。
【００５８】
イメージング制御ロジック８２６は、広い範囲のこのような要素を表しており、カリフォルニア州パロアルトに所在のヒューレット・パッカード社（Hewlett Packard Corp.）から市販の多くのイメージングシステムに見られるイメージング制御ロジックを含むが、これに限定されない。特に、イメージング制御ロジック８２６は、１つ又は複数の着色剤を採用して、異なる所望の強度で画像のピクセルを媒体上にイメージングするために採用することができる。イメージング制御ロジック８２６は、所望の着色剤のペンの線形化データ構造にアクセスし、所望の強度に適した出力値を決定し、ペンをそれに従って駆動する。
【００５９】
他の点では、プロセッサ８０２，メモリ８０４，イメージングエンジン８０６，通信インタフェース８０８，及びバス８１０は、広い範囲のこのような要素を表す。
【００６０】
各種実施形態では、イメージング装置８００は、インクジェットプリンタ又は電子写真式プリンタであることができる。
【００６１】
図９は、一実施形態による、図１，図５，及び／又は図６の方法の全て又は一部を実施する実行可能命令の格納への使用に適した製品を示している。本実施形態では、記憶媒体９０２は、図１，図５，及び／又は図６の方法を実施する命令を含む線形化ロジック９０４を含む。格納されている命令は、先に述べたように、図１，図５，及び／又は図６の方法を実行するように、コンピューティング装置７００及び／又はイメージングシステム８００等の装置をプログラムするために使用することができる。
【００６２】
代替の実施形態では、先に触れたように、線形化ロジック９１２が単に図１，図５，及び図６の方法のいくつかの態様のみを実施してもよい。
【００６３】
各種実施形態では、記憶媒体９０２は、ディスケット，テープ，コンパクトディスク（ＣＤ），デジタル多用途ディスク（ＤＶＤ），固体状態記憶装置、又は、他の電気的，磁気的、及び／又は光学的記憶装置等であることができる。
【００６４】
以上を要約すると、次の通りである。すなわち、線形化データ構造（２１６，２３６，２５６）は、ペン（２１４，２３４，２５４）の出力強度を別のペン（２０４，２２４，２４４の出力強度に整合させるために、別のペン（２０４，２２４，２４４）を鑑みて、ペン（２１４，２３４，２５４）のために生成される。
【００６５】
上記説明から、イメージングシステムのペンの出力強度を整合させる新規な方法の実施形態について説明したことが分かる。新規な方法について上記実施形態に関して説明したが、当業者は、この方法が、説明された実施形態に限定されないことを認識するであろう。この方法は、添付の特許請求の範囲の精神及び範囲内で変更及び代替を用いて実施することができる。
【００６６】
従って、この説明は、制限的ではなく、例示的であるとみなすべきである。
【図面の簡単な説明】
【００６７】
【図１】本発明の一実施形態による方法を示すフローチャートである。
【図２ａ】本発明の実施形態の実施に適したイメージングシステムを示すブロック図である。
【図２ｂ】本発明の実施形態の実施に適したイメージングシステムを示すブロック図である。
【図２ｃ】本発明の実施形態の実施に適したイメージングシステムを示すブロック図である。
【図３】出力強度の線形化の図的表現例を示すグラフである。
【図４】本発明の一実施形態による、２つのペンのうちの弱いほうを決定する際の使用に適した２つのカラーランプ（color ramp)の例を示すグラフである。
【図５】別のペンを鑑みて出力強度を線形化し、同時にその出力強度を他方のペンに整合させるペンの線形化データ構造を生成する、本発明の一実施形態による方法を示すフローチャートである。
【図６】別のペンに近い強度をペンに出力させる、ペンの出力値を決定する、本発明の一実施形態による方法を示すフローチャートである。
【図７】本発明の一実施形態による線形化挟持の少なくともいくつかに組み込まれるコンピューティング装置を示すブロック図である。
【図８】本発明の一実施形態による線形化教示の少なくともいくつかに組み込まれるイメージングシステムを示すブロック図である。
【図９】コンピューティング装置及びイメージングシステムをプログラムするための使用に適した、本発明の一実施形態の線形化ロジックを有する記憶媒体を示すブロック図である。
【符号の説明】
【００６８】
２０２  イメージングシステムＡ
２１２  イメージングシステムＢ
２０４，２２４，２４４  第１のペン
２０６，２２６，２４６  線形化ＬＵＴ Ａ
２１４，２３４，２５４  第２のペン
２１６，２３６，２５６  線形化ＬＵＴ Ｂ
７０２，８０２  プロセッサ
７０４，８０４  メモリ（記憶媒体）
７１２，８２２  線形化ロジック（命令）
８１２  ペン
８２２，８２４，８２６  線形化ＬＵＴ
【図１】
2005041222.tif 000003
【図２ａ】
2005041222.tif 000004
【図２ｂ】
2005041222.tif 000005
【図２ｃ】
2005041222.tif 000006
【図３】
2005041222.tif 000007
【図４】
2005041222.tif 000008
【図５】
2005041222.tif 000009
【図６】
2005041222.tif 000010
【図７】
2005041222.tif 000011
【図８】
2005041222.tif 000012
【図９】
2005041222.tif 000013